(57)【要約】      （修正有）【課題】１つのへらだけで様々な溝の大きさのクリームやクッキーを製作できる粘土細工用へらを提供する。【解決手段】粘土細工用へら１０は、可撓性を有する板状の材料によって形成され、その板が二つ折りにされると共に、折り目１２を挟む２面１１、１３がなす角度θを変えられるように形成される。折り目１２を介した両端部１３が接合され、また、粘土細工用へら１０の板状の材料は、透明又は半透明の材料で構成される。【選択図】図１
0003190335.tif 000002
【実用新案登録請求の範囲】
【請求項１】
可撓性を有する板状の材料によって形成され、前記板が二つ折りにされると共に、折り目を挟む２面がなす角度を変えられるように形成されたことを特徴とした粘土細工用へら。
【請求項２】
請求項１に記載の粘土細工用へらであって、前記折り目を介した両端部が接合されていることを特徴とした粘土細工用へら。
【請求項３】
請求項１又は２に記載の粘土細工用へらであって、前記板状の材料は、透明又は半透明の材料であることを特徴とした粘土細工用へら。
【考案の詳細な説明】
【技術分野】
【０００１】  本考案は、溝の大きさが異なる形状の細工を可能にするための粘土細工用へらに関するものである。
【背景技術】
【０００２】  近年、粘土を使用して、いわゆるフェイクスイーツと呼ばれる菓子の模造品が作られ、アクセサリー等に使用されている。特に軽量粘土を使用して作られるフェイクスイーツは、外見上、本物と変わらない形状や質感になる工夫がなされている。【０００３】  例えばケーキのデコレーション用のホイップクリームの製作に、本物のケーキ作りのデコレーションと同様に、絞り出し袋の先端部に絞り口金（星型）を入れ、絞り出し袋に粘土を入れて絞り出すことで、ホイップクリームの溝の形状や質感を出す工夫がされている。ホイップクリームの溝の形状は、口金（星型）の溝の形状に対応している。また、クッキーやビスケットの製作には、本物のクッキー作りで使用される抜き型と同様に、花型や星型など様々な粘土細工用の型が使用されている。【０００４】  さらに、上記のホイップクリームの粘土細工の製作には絞り袋を使用せずに、様々な大きさのへらを使用して、その大きさに対応する溝の大きさを持つクリームが製作されている。また、クッキーの粘土細工についても、周りの溝（例えば花形にした場合の溝）に様々な大きさのへらを使用して、その大きさに対応する溝の大きさを持つクッキーが製作されている。
【考案の概要】
【考案が解決しようとする課題】
【０００５】  ホイップクリームを口金から絞り出して製作する場合、製作するクリームの大きさによって、口金の大きさを変える必要があり、複数の口金を用意しなければならない。へらで作る場合にも、作りたいクリームやクッキーの大きさによって、それらの溝の大きさに合わせた複数のへらを用意しなければならない。【０００６】  本考案は上記事情に鑑み、１つのへらだけで様々な溝の大きさのクリームやクッキーなどの粘土細工を製作できる粘土細工用へらを提供することを目的とする。
【課題を解決するための手段】
【０００７】  本考案の１は、可撓性を有する板状の材料によって形成され、前記板が二つ折りにされると共に、折り目を挟む２面がなす角度を変えられるように形成されたことを特徴とした粘土細工用へらである。【０００８】  本考案の２は、本考案の１の粘土細工用へらであって、前記折り目を介した両端部が接合されていることを特徴とする。【０００９】  本考案の３は、本考案の１又は２の粘土細工用へらであって、前記板状の材料は、透明又は半透明の材料であることを特徴とする。
【考案の効果】
【００１０】  本考案の１によれば、粘土細工用へらが可撓性を有する板状の材料によって形成され、板が二つ折りにされ、その折り目を挟む２面がなす角度を変えられるため、１つのへらだけで様々な溝の大きさのクリームやクッキー等を製作することができる。【００１１】  本考案の２によれば、粘土細工用へらの折り目を介した両端部が接合されていることにより、その折り目を挟む２面がなす角度が広がり過ぎることなく、安定して角度を変えることができる。また、その両端部が接合されていることにより、コンパクトになり、持ち運び易くなる。【００１２】  本考案の３によれば、粘土細工用へらの材料は、透明又は半透明の材料であるため、粘土を細工する際に、粘土の溝を視認できるため、溝の大きさを調整し易くなる。
【図面の簡単な説明】
【００１３】
【図１】一実施例の粘土細工用へらの斜視図である。
【図２】一実施例の粘土細工用へらの作製方法を示す説明図である。
【図３】粘土細工のホイップクリーム（Ａ）（Ｂ）とクッキー（Ｃ）を模式的に示す図である。
【図４】一実施例の粘土細工用へらを折り目付近で持ったときの説明図である。
【図５】一実施例の粘土細工用へらを接合部付近で持ったときの説明図である。
【図６】一実施例の粘土細工用へらの中央に人差し指を入れて持ったときの説明図である。
【考案を実施するための形態】
【００１４】  以下、本考案の実施の形態（以下実施例と記す）を、図面に基づいて説明する。まず、図１と図２を用いて本考案の一実施例の粘土細工用へらを説明する。図１は、粘土細工用へらの斜視図であり、図２は、粘土細工用へらの作製方法を示す説明図である。
【００１５】  図１に示す本考案の一実施例の粘土細工用へら１０は、可撓性を有する板状の材料によって形成され、その板が二つ折りにされて、折り目１２を挟む２面１１，１３がなす角度θを変えられるように形成されている。
【００１６】  粘土細工用へら１０の作製方法は、図２（Ａ）に示すように、可撓性を有する材料の板状の薄いシートをシートの長手方向の中心部１２で２つ折りにする。本実施例ではシートの長手方向の中心部１２で２つ折りにするが、折り曲げる箇所はそれに限定されず、シートの短手方向の中心部で折り曲げてもよいし、中心部からずれて折り曲げてもよい。
【００１７】  本実施例で粘土細工用へら１０の作製に使用するシートの大きさは、使用し易さを考慮して、指先だけで使用できるような大きさであることが好ましい。例えば、長手方向の長さが６ｃｍ、短手方向の長さが４ｃｍ程度の小さなシートを使用する。粘土細工用へら１０の大きさはこれに限定されず、指先で使用できる大きさであればよい。
【００１８】  また、図２（Ｂ）に示すように、可撓性を有するクリアファイル２０の一部分を切り取って、粘土細工用へら１０を作製してもよい。図２（Ｂ）では折り目部分を切り取っているが、その部分に限定されず、どこの部分を切り取ってもよい。本実施例で使用する粘土細工用へら１０のシートは、例えばポリプロピレンからなり、厚さは０．２ｍｍ程度の薄型の透明又は半透明である。シートが透明又は半透明であることにより、粘土を細工する際に、粘土の溝を視認できるため、溝の大きさを調整し易くなる。粘土細工用へら１０のシートはこれに限定されず、いかなる材料、厚さ、色であってもよい。
【００１９】  また、本実施例で使用する粘土細工用へら１０は、図２（Ａ）に示すシートの折り目１２を挟む２面１１，１３の両端部１４，１５をテープ等で接合し、図１に示すように折り目１２を挟む２面１１，１３が中空部１７を有するように構成している。両端部１４，１５をテープ等で接合すると、折り目１２を挟む２面１１，１３がなす角度θが広がり過ぎず、使用しやすくなる。もちろん、粘土細工用へら１０は、シートの折り目１２を挟む２面１１，１３の両端部１４，１５を接合せずに構成してもよい。
【００２０】  図１に示すように、粘土細工用へら１０のシートの折り目１２を挟む２面１１，１３の両端部を接合する接合部１６は、例えば透明又は半透明のセロテープ（登録商標）で接合される。デザイン性を考慮して、様々な色や柄のマスキングテープで接合してもよい。また、テープではなく、接着剤等で接合してもよい。
【００２１】  図３は、粘土細工のホイップクリーム（Ａ）（Ｂ）とクッキー（Ｃ）を模式的に示す図である。図３（Ａ）は、ホイップクリームの斜視図であり、（Ｂ）はホイップクリームの平面図、（Ｃ）はクッキーの平面図である。
【００２２】  前述のように、ホイップクリーム３０は、通常、絞り出し袋の先端部に星型の口金を入れ、袋に粘土を入れて絞り出すことにより製作される。このとき、星型の口金の溝の大きさは、ホイップクリーム３０の溝の大きさ３１に対応している。また、クッキー４０の製作には、様々な形状のクッキー製作用の抜き型が使用される。
【００２３】  図３に示すホイップクリーム３０やクッキー４０は一例であり、その大きさや形状は様々なものがある。従来、それらに対応したホイップクリームの口金やクッキーの抜き型を用意する必要があったが、本考案の粘土細工用へら１０を使用することにより、口金や抜き型を用意しなくても、様々な大きさと形状のホイップクリーム３０やクッキー４０を以下に説明するように製作することができる。
【００２４】  例えば、図４に示すように、粘土細工用へら１０の折り目１２付近を指ではさんで持つと、中空部１７が狭まり、折り目１２を挟む２面１１，１３がなす角度θを小さくすることができる。この状態で、粘土に溝を形成することにより、例えば図３（Ａ）と（Ｂ）に示すホイップクリーム３０の溝の大きさ３１が小さなホイップクリーム３０を製作することができる。また、図３（Ｃ）に示す菊型のクッキー４０の周りの溝の大きさ４１の小さなクッキー４０を製作することができる。
【００２５】  また、図５に示すように、接合部１６付近を指ではさんで持つと、中空部１７が広がり、折り目１２を挟む２面１１，１３がなす角度θを大きくすることができる。この状態で、粘土に溝を形成することにより、図４に示した状態で溝を形成するときよりも大きな溝を持つホイップクリーム３０やクッキー４０を製作することができる。
【００２６】  さらに、図６に示すように、中空部１７に指を入れて持つと、中空部１７がより広がり、折り目１２を挟む２面１１，１３がなす角度θをより大きくすることができる。同様に、この状態で、粘土に溝を形成することにより、図４、５に示した状態で溝を形成するときよりもさらに大きな溝を持つホイップクリーム３０やクッキー４０を製作することができる。
【００２７】  上記、本実施例の粘土細工用へらの使用例として、溝を持つ粘土のホイップクリーム３０とクッキー４０を例に挙げて説明してきたが、使用する対象はこれに限定されず、溝をもつ様々な形状の粘土に使用できる。例えば、カップケーキやチョコレートのカップにも使用できる。
【００２８】  以上説明してきたように、本考案の粘土細工用へらは、可撓性を有し、折り目を挟む２面がなす角度が自由に変えられるため、１つのへらだけで様々な溝の大きさのクリームやクッキー等を製作することができる。
【符号の説明】
【００２９】１０…粘土細工用へら、１１，１３…シートの折り目を挟む面、１２…シートの折り目、１４，１５…両端部、１６…接合部、１７…中空部、２０…クリアファイル、３０…ホイップクリーム、３１…ホイップクリームの溝の大きさ、４０…クッキー、４１…クッキーの溝の大きさ。
【図１】
0003190335.tif 000003
【図２】
0003190335.tif 000004
【図３】
0003190335.tif 000005
【図４】
0003190335.tif 000006
【図５】
0003190335.tif 000007
【図６】
0003190335.tif 000008